(57)【要約】【課題】内燃機関の負荷変動に対する高い動作応答性を有し、かつ、吸気温度を十分に調整することが可能な内燃機関の吸気装置を提供する。【解決手段】このエンジン１００に搭載される吸気装置５０は、エンジン本体１０（シリンダヘッド２）に取り付けられるとともにスロットル弁３２が接続される吸気通路３０を有する吸気マニホールド３３と、吸気を圧縮する電動エアポンプ５１と、電動エアポンプ５１により圧縮された吸気を冷気と暖気とに分離するボルテックスチューブ５２とを備える。そして、ボルテックスチューブ５２から吐出される冷気または暖気のいずれかを、スロットル弁３２の上流から吸気通路３０に導入するように構成されている。【選択図】図１
2017089390.tif 000002
【特許請求の範囲】
【請求項１】
内燃機関に取り付けられるとともにスロットルバルブが接続される吸気通路を有する吸気装置本体と、
吸気を圧縮する空気圧縮源と、
前記空気圧縮源により圧縮された吸気を冷気と暖気とに分離するボルテックスチューブと、を備え、
前記ボルテックスチューブから吐出される冷気または暖気のいずれかを、前記スロットルバルブの上流から前記吸気通路に導入するように構成されている、内燃機関の吸気装置。
【請求項２】
前記内燃機関の運転状況に応じて、前記ボルテックスチューブから吐出される冷気または暖気のいずれかを選択的に前記スロットルバルブの上流に導入するように構成されている、請求項１に記載の内燃機関の吸気装置。
【請求項３】
前記内燃機関が高負荷で運転される際に、前記ボルテックスチューブから吐出される冷気が前記スロットルバルブの上流から導入されて前記吸気通路中の吸気に混合されることにより、前記吸気装置本体に供給される吸気温度を低下させるように構成されている、請求項２に記載の内燃機関の吸気装置。
【請求項４】
前記内燃機関の始動時および前記内燃機関が低負荷で運転される際に、前記ボルテックスチューブから吐出される暖気が前記スロットルバルブの上流から導入されて前記吸気通路中の吸気に混合されることにより、前記吸気装置本体に供給される吸気温度を上昇させるように構成されている、請求項２または３に記載の内燃機関の吸気装置。
【請求項５】
前記ボルテックスチューブから吐出される冷気または暖気のいずれかを、前記スロットルバルブの上流で、かつ、前記スロットルバルブを回動可能に保持するスロットルボディの近傍から導入するように構成されている、請求項１〜４のいずれか１項に記載の内燃機関の吸気装置。
【請求項６】
前記空気圧縮源は、電動エアポンプを含み、
前記内燃機関の運転状況に応じて前記電動エアポンプの回転数が制御されることにより圧縮空気を得るとともに、前記圧縮空気が前記ボルテックスチューブに供給されて前記ボルテックスチューブから吐出される冷気または暖気のいずれかを、前記スロットルバルブの上流に導入するように構成されている、請求項１〜５のいずれか１項に記載の内燃機関の吸気装置。
【請求項７】
前記ボルテックスチューブから吐出される冷気または暖気のいずれか一方が前記スロットルバルブの上流から前記吸気通路に導入されるとともに、前記冷気または前記暖気のいずれか他方は、前記内燃機関外に排出されるように構成されている、請求項１〜６のいずれか１項に記載の内燃機関の吸気装置。
【請求項８】
前記ボルテックスチューブから吐出される冷気または暖気のいずれか一方が前記スロットルバルブの上流から前記吸気通路に導入されるとともに、前記冷気または前記暖気のいずれか他方は、熱交換器を介して熱交換されることにより他の熱源として利用可能に構成されている、請求項１〜７のいずれか１項に記載の内燃機関の吸気装置。
【発明の詳細な説明】
【技術分野】
【０００１】
本発明は、内燃機関の吸気装置に関し、特に、スロットルバルブが接続される吸気通路を有する吸気装置本体を備えた内燃機関の吸気装置に関する。
【背景技術】
【０００２】
従来、スロットルバルブが接続される吸気通路を有する吸気装置本体を備えた内燃機関の吸気装置などが知られている（たとえば、特許文献１参照）。
【０００３】
上記特許文献１には、内燃機関に接続される吸気管に冷却装置が組み込まれた内燃機関の吸気温度の調整装置（内燃機関の吸気装置）が開示されている。この特許文献１に記載の内燃機関の吸気温度の調整装置では、吸気管におけるスロットルバルブの上流に冷却装置が設けられており、吸気は冷却装置により吸気温度を調整した（低下させた）状態でスロットルバルブを介して内燃機関に供給されるように構成されている。なお、冷却装置の具体例として、冷却ファンを有する空冷式（空気／空気冷却器）や冷却剤ポンプを有する水冷式（空気／水冷却器）が挙げられている。そして、制御装置により運転中の内燃機関にノッキングを起こす傾向が検出された際に、調整装置を作動させることによって吸気温度が調整されるように構成されている。
【先行技術文献】
【特許文献】
【０００４】
【特許文献１】特開平１１−２７０４２１号公報
【発明の概要】
【発明が解決しようとする課題】
【０００５】
しかしながら、上記特許文献１に記載された内燃機関の吸気温度の調整装置では、空冷式および水冷式のいずれの冷却方式においても、吸気温度をエンジンルーム温度やエンジン冷却水温度よりも低下させることができないため、内燃機関がノッキングを起こす高負荷運転時の吸気温度を十分に調整することができないという問題点がある。また、ノッキングを起こす傾向が検出された際に調整装置が作動し始めるため、吸気温度が実際に調整されるまでにはある程度の時間遅れ（応答遅れ）が発生するという問題点がある。
【０００６】
この発明は、上記のような課題を解決するためになされたものであり、この発明の１つの目的は、内燃機関の負荷変動に対する高い動作応答性を有し、かつ、吸気温度を十分に調整することが可能な内燃機関の吸気装置を提供することである。
【課題を解決するための手段】
【０００７】
上記目的を達成するために、この発明の一の局面における内燃機関の吸気装置は、内燃機関に取り付けられるとともにスロットルバルブが接続される吸気通路を有する吸気装置本体と、吸気を圧縮する空気圧縮源と、空気圧縮源により圧縮された吸気を冷気と暖気とに分離するボルテックスチューブと、を備え、ボルテックスチューブから吐出される冷気または暖気のいずれかを、スロットルバルブの上流から吸気通路に導入するように構成されている。
【０００８】
この発明の一の局面による内燃機関の吸気装置では、上記のように、ボルテックスチューブから吐出される冷気または暖気のいずれかを吸気通路に導入するように構成する。これにより、エンジンルーム内の空気やエンジン冷却水などを間接的に利用して吸気温度を調整する場合と異なり、ボルテックスチューブにより内燃機関の運転環境（エンジンルーム内の温度）に依存することなく所望の温度として得られた冷気または暖気を迅速に吸気に混合して吸気温度を直接的に調整（冷却または昇温）することができる。したがって、内燃機関の負荷変動に対して高い動作応答性を有して吸気温度を調整することができる。また、ボルテックスチューブから吐出される冷気または暖気のいずれかをスロットルバルブの上流から吸気通路に導入することによって、ボルテックスチューブからの冷気または暖気を、内燃機関の熱影響を受けやすいスロットルバルブを通過する前（上流側）の吸気に混合することができるので、吸気温度を十分に調整（冷却または昇温）することができる。これらの結果、内燃機関の負荷変動に対する高い動作応答性を有し、かつ、吸気温度を十分に調整することができる。
【０００９】
また、上記一の局面による内燃機関の吸気装置では、ボルテックスチューブから吐出される冷気または暖気のいずれかをスロットルバルブの上流から吸気通路に導入することによって、スロットルバルブの上流で吸気温度の調整が行われる分、最適な温度に調整された吸気を内燃機関の各気筒に分配することができる。すなわち、気筒間で吸気温度がばらつくのが抑制されるので、運転中の内燃機関における混合気の燃焼状態を良好に保つことができる。
【００１０】
上記一の局面による内燃機関の吸気装置において、好ましくは、内燃機関の運転状況に応じて、ボルテックスチューブから吐出される冷気または暖気のいずれかを選択的にスロットルバルブの上流に導入するように構成されている。
【００１１】
このように構成すれば、ボルテックスチューブから吐出される冷気または暖気を内燃機関の運転状況に応じて適切に利用して吸気温度を迅速に冷却または昇温することができる。特に、内燃機関の運転状況が急激に変化する場合においても、ボルテックスチューブにより得られる冷気または暖気を利用して最適な吸気温度を迅速に（高い動作応答性で）得ることができる。
【００１２】
上記内燃機関の運転状況に応じて冷気または暖気のいずれかを選択的にスロットルバルブの上流に導入する構成において、好ましくは、内燃機関が高負荷で運転される際に、ボルテックスチューブから吐出される冷気がスロットルバルブの上流から導入されて吸気通路中の吸気に混合されることにより、吸気装置本体に供給される吸気温度を低下させるように構成されている。
【００１３】
このように構成すれば、内燃機関が高負荷で運転される際に吸気温度を十分に低下させることができるので、ノッキングが発生する前にノッキングが発生する要因（負荷の上昇に伴う過度な圧縮混合気の温度の上昇）を取り除くことができる。この結果、内燃機関が高負荷で運転される際のノッキングの発生を未然に回避ことができる。また、ノッキングの発生が抑制されるので、内燃機関のエネルギ効率（混合気の爆発エネルギをエンジン動力に変換する効率）が向上される分、燃費（燃料消費率）を向上させることができる。
【００１４】
上記内燃機関の運転状況に応じて冷気または暖気のいずれかを選択的にスロットルバルブの上流に導入する構成において、好ましくは、内燃機関の始動時および内燃機関が低負荷で運転される際に、ボルテックスチューブから吐出される暖気がスロットルバルブの上流から導入されて吸気通路中の吸気に混合されることにより、吸気装置本体に供給される吸気温度を上昇させるように構成されている。
【００１５】
このように構成すれば、冷間始動時および冷間始動直後の暖機運転時に吸気温度を十分に昇温させることができるので、スロットルバルブの凍結を防止することができる。また、スロットルバルブの凍結防止用の温水循環回路（エンジン冷却水回路）を設ける必要がないので、エンジンブロックの構成を簡素化させることができる。また、適温まで昇温された吸気と燃料との混合を行うことができるので、燃料の霧化を促進することができる。また、内燃機関が低負荷で運転される際に、昇温されることで相対的に密度が小さくなった吸気を内燃機関に供給することができるので、同じ空気の質量流量を得るためにスロットルバルブを開き気味に制御することができる。これにより、スロットルバルブにおける前後差圧が減少して、内燃機関におけるポンピングロス（吸排気損失）を低減することができる。
【００１６】
上記一の局面による内燃機関の吸気装置において、好ましくは、ボルテックスチューブから吐出される冷気または暖気のいずれかを、スロットルバルブの上流で、かつ、スロットルバルブを回動可能に保持するスロットルボディの近傍から導入するように構成されている。
【００１７】
このように構成すれば、冷気を利用してスロットルボディ自体の温度を低下させることができるので、スロットルバルブが内燃機関側の熱を受けて加熱されるのを容易に抑制することができる。したがって、吸気温度の調整（冷却）をより容易に行うことができる。また、暖気を利用してスロットルボディ自体を昇温させることもできるので、スロットルバルブが凍結するのを容易に防止することができる。
【００１８】
上記一の局面による内燃機関の吸気装置において、好ましくは、空気圧縮源は、電動エアポンプを含み、内燃機関の運転状況に応じて電動エアポンプの回転数が制御されることにより圧縮空気を得るとともに、圧縮空気がボルテックスチューブに供給されてボルテックスチューブから吐出される冷気または暖気のいずれかを、スロットルバルブの上流に導入するように構成されている。
【００１９】
このように構成すれば、内燃機関の運転状況に対して高い応答性を有して電動エアポンプの回転数を制御することができるので、所望の温度および流量を有する冷気または暖気を迅速に得て吸気主流に混合させることができる。この結果、内燃機関の負荷変動に対する高い動作応答性を有し、かつ、吸気温度を確実に調整することが可能な吸気システムを容易に得ることができる。
【００２０】
上記一の局面による内燃機関の吸気装置において、好ましくは、ボルテックスチューブから吐出される冷気または暖気のいずれか一方がスロットルバルブの上流から吸気通路に導入されるとともに、冷気または暖気のいずれか他方は、内燃機関外に排出されるように構成されている。
【００２１】
このように構成すれば、吸気温度の調整に利用されない側の冷気または暖気を吸気系に影響を与えることなく系外に排出することができるので、低負荷運転から高負荷運転に至るまでの内燃機関の運転状態を良好に保ち続けることができる。
【００２２】
上記一の局面による内燃機関の吸気装置において、好ましくは、ボルテックスチューブから吐出される冷気または暖気のいずれか一方がスロットルバルブの上流から吸気通路に導入されるとともに、冷気または暖気のいずれか他方は、熱交換器を介して熱交換されることにより他の熱源として利用可能に構成されている。
【００２３】
このように構成すれば、吸気温度の調整に利用されない排熱（冷気または暖気）を、熱交換器を介して回収して他の熱源として再利用することができるので、空気圧縮源に投入されたエネルギを回収することができる分、内燃機関が搭載される車両（自動車）全体としてのエネルギ効率を向上させることができる。
【００２４】
なお、上記一の局面による内燃機関の吸気装置において、以下の構成も考えられる。
【００２５】
（付記項１）
すなわち、上記内燃機関の運転状況に応じて冷気または暖気のいずれかを選択的にスロットルバルブの上流に導入する内燃機関の吸気装置において、内燃機関が低負荷運転から高負荷運転に切り替わる際に、ボルテックスチューブから吐出される冷気がスロットルバルブの上流から導入されて吸気通路中の吸気に混合されることにより、吸気装置本体に供給される吸気温度を低下させるように構成されている。
【００２６】
（付記項２）
また、上記一の局面による内燃機関の吸気装置において、吸気通路におけるエアクリーナから分流された吸気を、空気圧縮源により圧縮するように構成されている。
【００２７】
（付記項３）
また、上記空気圧縮源が電動エアポンプを含む内燃機関の吸気装置において、電動エアポンプは、内燃機関の運転状況に応じて回転数が制御されるかまたは電力が供給されずに停止されるように構成されている。
【００２８】
（付記項４）
また、上記ボルテックスチューブから吐出される冷気または暖気のいずれか他方が他の熱源として利用可能な内燃機関の吸気装置において、熱交換器を介して熱交換される冷気または暖気は、熱交換後に吸気通路におけるエアクリーナに導入されるように構成されている。
【図面の簡単な説明】
【００２９】
【図１】本発明の第１実施形態によるエンジンおよび吸気装置の構成を模式的に示した図である。
【図２】本発明の第１実施形態によるエンジンの制御構成を示したブロック図である。
【図３】本発明の第１実施形態による吸気装置の動作状態を示した図である。
【図４】本発明の第１実施形態による吸気装置の動作状態を示した図である。
【図５】本発明の第２実施形態による吸気装置の構成および動作状態を示した図である。
【図６】本発明の第２実施形態による吸気装置の構成および動作状態を示した図である。
【図７】本発明の第１変形例によるエンジンおよび吸気装置の構成を模式的に示した図である。
【図８】本発明の第２変形例によるエンジンおよび吸気装置の構成を模式的に示した図である。
【発明を実施するための形態】
【００３０】
以下、本発明の実施形態を図面に基づいて説明する。
【００３１】
［第１実施形態］
図１〜図４を参照して、本発明の第１実施形態によるエンジン１００について説明する。
【００３２】
（エンジンの概略構成）
本発明の第１実施形態による車両（自動車）用のエンジン１００（内燃機関の一例）は、図１に示すように、エンジン本体１０を備える。ガソリン機関からなるエンジン本体１０は、複数の気筒（シリンダ１ａ）が形成されたシリンダブロック１と、シリンダブロック１の上部に締結されるシリンダヘッド２と、シリンダブロック１の下部に締結されるクランクケース３と、シリンダヘッド２に被せられたヘッドカバー２ａとを含む。また、エンジン本体１０には、吸気通路３０と排気通路４０とが接続されている。シリンダブロック１内でピストン４が往復動することにより、吸引・圧縮・膨張（燃焼）・排気の１サイクルが連続的に繰り返されてクランク軸５が回転されるように構成されている。
【００３３】
シリンダヘッド２には、カムシャフトの回転により周期的に開閉される吸気バルブ６および排気バルブ７と、点火プラグ８とが組み込まれている。シリンダヘッド２は、燃焼室９と、燃焼室９に吸入空気を送り込む吸気ポート１１と、排気ガスが排出される排気ポート１２とを有する。また、自然吸気式のエンジン１００は、吸気通路３０を含む吸気装置５０（内燃機関の吸気装置の一例）を備える。以下に、吸気装置５０の詳細な構成について説明する。
【００３４】
（吸気通路および排気通路の構成）
吸気通路３０では、空気取入口３０ａから吸気ポート１１に向かって、エアクリーナ３１と、スロットル弁３２（スロットバルブの一例）と、吸気マニホールド３３（吸気装置本体の一例）とが、この順に接続されている。エアクリーナ３１は、吸入空気中の塵や埃などを除去するとともに吸気騒音を低減する役割を有する。スロットル弁３２は、スロットルボディ３２ａ内に回動可能に収容されており、吸気マニホールド３３への吸入空気量を制御する役割を有する。吸気マニホールド３３は、サージタンクとその下流側に配置され枝分かれする吸気管群（図示せず）を含む。そして、吸気管群の下流側が吸気ポート１１ａ（シリンダブロック１）に接続されている。また、排気通路４０では、排気ポート１２から空気排出口４０ａに向かって、燃焼室９から排出される排気ガスを集合させる排気マニホールド４１と、触媒装置（触媒コンバータ）４２と、マフラー４３とが、この順に接続されている。
【００３５】
（吸気装置（吸気システム）の詳細な構成）
そして、第１実施形態では、吸気通路３０に対して電動エアポンプ５１（空気圧縮源の一例）とボルテックスチューブ５２とが付加されて、吸気装置５０が構成されている。ここで、吸気装置５０の制御的な構成としては、図２に示すように、エンジン１００の制御を統括するＥＣＵ（制御部）８０に対して、アクセル開度センサ（図示せず）からのアクセルペダルの開度情報、エンジン１００の回転数情報、吸気通路３０に設けられた吸気流量センサ（図示せず）からの吸入空気量の情報、燃料噴射量の情報および吸気温度センサ（図示せず）からの吸気温度の情報が入力される。ＥＣＵ８０は、これらの情報に基づいて所定の判断を行い、スロットル弁３２の開度制御、電動エアポンプ５１の駆動制御および後述する三方弁５３および５４の開閉制御を行うように構成されている。なお、ＥＣＵ８０には、ＲＯＭ８１およびＲＡＭ８２が接続されている。ＲＯＭ８１には、ＥＣＵ８０が実行する制御プログラムや、電動エアポンプ５１の運転制御内容が規定された動作テーブル８５などが格納されている。また、ＲＡＭ８２は、制御プログラムが実行される際に用いられる制御上のパラメータや、吸気温度の検出値などが一時的に保存される。
【００３６】
また、図１に示すように、ボルテックスチューブ５２は、電動エアポンプ５１から吐出された圧縮空気が注入される入口部５２ａと、冷気が吐出される冷気吐出口５２ｂと、暖気が吐出される暖気吐出口５２ｃとを有する。そして、ボルテックスチューブ５２では、入口部５２ａから圧縮空気が注入されることによって、圧縮された吸気を冷気と暖気とに分離するいわゆるボルテックス効果が生み出される。なお、電動エアポンプ５１に吸引される吸気温度に対して冷気吐出口５２ｂから吐出される冷気は、約２０Ｋ（ケルビン）の温度差を有して低下される。また、ボルテックスチューブ５２の暖気吐出口５２ｃから吐出される暖気は、吸気温度に対して約２０Ｋ（ケルビン）の温度差を有して上昇される。
【００３７】
また、エアクリーナ３１のフィルタ３１ａの下流側と電動エアポンプ５１の吸引口５１ａとが通気路６１により接続されるとともに、電動エアポンプ５１の吐出口５１ｂと、ボルテックスチューブ５２の入口部５２ａとが通気路６２により接続されている。これにより、電動エアポンプ５１が始動された場合、エアクリーナ３１を通過した吸気の一部が電動エアポンプ５１に吸入されて圧縮されるとともに、圧縮空気がボルテックスチューブ５２に注入される。また、ボルテックスチューブ５２の冷気吐出口５２ｂおよび暖気吐出口５２ｃには、それぞれ、三方弁５３および三方弁５４が設けられている。そして、三方弁５３および５４の一方出口側は、通気路６３を介して吸気通路３０に連通されるとともに、三方弁５３および５４の他方出口側は、通気路６４を介して消音器５５に連通されている。また、通気路６４における消音器５５の下流側は、大気開放されている。
【００３８】
これにより、第１実施形態では、ボルテックスチューブ５２から吐出される冷気または暖気のいずれかがスロットル弁３２の上流から吸気通路３０に導入されるように構成されている。この場合、ＥＣＵ８０の指令に基づき、エンジン１００の運転状況に応じてボルテックスチューブ５２からの冷気または暖気が、選択的にスロットルボディ３２ａの近傍から吸気通路３０に導入されるように構成されている。
【００３９】
たとえば、エンジン１００が十分に暖機された状態で運転される際に、車両の加速操作が乗員により行われたとする。これにより、エンジン１００はそれまでの低負荷運転から高負荷運転に切り替わり始める。この際、図３に示すように、アクセルペダル（図示せず）の踏み込みを検出したＥＣＵ８０（図２参照）の指令に基づき電動エアポンプ５１が始動される。また、これと同時に、三方弁５３および５４によるボルテックスチューブ５２の下流側の空気（冷気および暖気）の流れ方向が「第１の状態」に切り替えられる。これにより、エアクリーナ３１の下流で電動エアポンプ５１により圧縮された吸気（圧縮空気）がボルテックスチューブ５２に注入されるとともに、冷気吐出口５２ｂから吐出される冷気が、三方弁５３および通気路６３を矢印Ａ方向に流通してスロットル弁３２の上流から吸気通路３０に導入される。そして、エアクリーナ３１から吸気通路３０を介して運ばれる吸気に、ボルテックスチューブ５２からの冷気が混合されて吸気温度が低下された状態で吸気が吸気マニホールド３３に供給される。一方、暖気吐出口５２ｃから吐出される暖気は、三方弁５４および通気路６４を矢印Ｂ方向に流通して消音器５５を介して外部（不図示のエンジンルームの下部領域など）に排出される。
【００４０】
また、車両の加速時に加えて、エンジン１００が高負荷で運転を継続されている最中も、ボルテックスチューブ５２からの冷気をスロットル弁３２の上流から吸気通路３０に導入して吸気温度が適切な温度になるように調整されるように構成されている。この際、電動エアポンプ５１の回転数が制御されることによって、圧縮空気の圧力が調整されるとともに、吸気通路３０に導入される冷気の温度が調整される。したがって、吸気マニホールド３３に供給される冷却後の吸気温度が一定の温度域に保たれるように構成されている。
【００４１】
このように、エンジン１００の負荷が増加するタイミングに合わせて電動エアポンプ５１の起動とともに冷気が作られて吸気主流に混合することにより、熱的な遅れを伴うことなく吸気温度が低下される。したがって、ノッキングの発生よりも先に吸気温度が低下されるので、加速時に発生しやすいノッキングの発生が未然に抑制される。また、ノッキングの発生が抑制されるので、運転時（加速時）のドライバビリティも向上される。なお、冷気がスロットルボディ３２ａの近傍から吸気通路３０に導入されるので、シリンダブロック１近傍の熱を受けやすいスロットルボディ３２ａも冷やされる。また、スロットルボディ３２ａが冷やされるので内部のスロットル弁３２も過剰昇温されず適切な温度に保たれる。したがって、スロットル弁３２を通過した吸気は確実に適切な温度に調整された状態で、吸気マニホールド３３に供給されるようになる。また、スロットル弁３２の手前（上流）で冷気が混合されるので、吸気マニホールド３３におけるサージタンクおよび吸気管群（図示せず）を通過する過程でのミキシングも良好になる。したがって、吸気温度が個々のシリンダ１ａ間でばらつくことなく燃焼室９に供給されるように構成されている。
【００４２】
また、他の場面として、エンジン１００の始動直後（冷間始動時）や暖機運転中においては、図４に示すように、この運転状態を検出したＥＣＵ８０（図２参照）の指令に基づき電動エアポンプ５１が始動される。また、これと同時に、三方弁５３および５４によるボルテックスチューブ５２の下流側の空気（冷気および暖気）の流れ方向が「第２の状態」に切り替えられる。これにより、エアクリーナ３１の下流で電動エアポンプ５１により圧縮された圧縮空気がボルテックスチューブ５２に注入されるとともに、暖気吐出口５２ｃから吐出される暖気が三方弁５４および通気路６３を矢印Ｃ方向に流通してスロットル弁３２の上流から吸気通路３０に導入される。そして、エアクリーナ３１から吸気通路３０を介して運ばれる吸気にボルテックスチューブ５２からの暖気が混合されて吸気温度が上昇された状態で吸気が吸気マニホールド３３に供給される。一方、冷気吐出口５２ｂから吐出される冷気は、三方弁５４および通気路６４を矢印Ｄ方向に流通して消音器５５を介して外部に排出される。このように、エンジン１００の始動直後（冷間始動時）や暖機運転中においては、暖気が即座に作られて吸気主流に混合することにより吸気温度を上昇させるので、スロットル弁３２の凍結が防止される。また、適温まで昇温された吸気と燃料とが混合されるので、燃料の霧化が促進されるとともに、アイドル回転数も安定する。
【００４３】
なお、暖機運転終了後も、走行風によりエンジンルーム内が適切な温度（過剰に熱くない状態）になっていてノッキングの発生が起きないような場合にも、ボルテックスチューブ５２からの暖気を利用して吸気温度を上昇させるように構成されている。すなわち、エンジン１００が低負荷で運転される際に、昇温されることで相対的に密度が小さくなった吸気がシリンダ１ａに供給されるので、同じ空気の質量流量を得るためにスロットル弁３２は開き気味に制御される。これにより、スロットル弁３２における絞り抵抗が低減されるので、エンジン本体１０におけるポンピングロス（吸排気損失）が低減される。
【００４４】
また、エンジン１００の運転状況に応じて電動エアポンプ５１の回転数が制御される一方、吸気への冷気または暖気の混合による吸気温度の調整が必要のない場合には、電動エアポンプ５１には電力が供給されずに停止されるように構成されている。第１実施形態によるエンジン１００に搭載される吸気装置５０は、上記のように構成されている。
【００４５】
（第１実施形態の効果）
第１実施形態では、以下のような効果を得ることができる。
【００４６】
第１実施形態では、上記のように、ボルテックスチューブ５２から吐出される冷気または暖気のいずれかを吸気通路３０に導入するように構成する。これにより、エンジンルーム内の空気やエンジン冷却水などを間接的に利用して吸気温度を調整する場合と異なり、ボルテックスチューブ５２によりエンジン１００の運転環境（エンジンルーム内の温度）に依存することなく所望の温度として得られた冷気または暖気を迅速に吸気に混合して吸気温度を直接的に調整（冷却または昇温）することができる。したがって、エンジン１００の負荷変動に対して高い動作応答性を有して吸気温度を調整することができる。また、ボルテックスチューブ５２から吐出される冷気または暖気のいずれかをスロットル弁３２の上流から吸気通路３０に導入することによって、ボルテックスチューブ５２からの冷気または暖気を、エンジン本体１０の熱影響を受けやすいスロットル弁３２を通過する前（上流側）の吸気に混合することができるので、吸気温度を十分に調整（冷却または昇温）することができる。これらの結果、エンジン１００の負荷変動に対する高い動作応答性を有し、かつ、吸気温度を十分に調整することができる。
【００４７】
また、第１実施形態では、ボルテックスチューブ５２から吐出される冷気（暖気）をスロットル弁３２の上流から吸気通路３０に導入することによって、スロットル弁３２の上流で吸気温度の調整（冷却または昇温）が行われる分、最適な温度に調整された吸気をエンジン１００の各気筒（各シリンダ１ａ）に分配することができる。すなわち各々のシリンダ１ａの間で吸気温度がばらつくのが抑制されるので、運転中のエンジン１００における混合気の燃焼状態を良好に保つことができる。
【００４８】
また、第１実施形態では、エンジン１００の運転状況に応じて、ボルテックスチューブ５２から吐出される冷気または暖気のいずれかを選択的にスロットル弁３２の上流に導入するように構成する。これにより、ボルテックスチューブ５２から吐出される冷気または暖気をエンジン１００の運転状況に応じて適切に利用して吸気温度を迅速に冷却または昇温することができる。特に、エンジン１００の運転状況が急激に変化する場合においても、ボルテックスチューブ５２により得られる冷気または暖気を利用して最適な吸気温度を迅速に（高い動作応答性で）得ることができる。
【００４９】
また、第１実施形態では、エンジン１００が高負荷で運転される際に、ボルテックスチューブ５２から吐出される冷気がスロットル弁３２の上流から導入されて吸気通路３０中の吸気に混合されることにより、吸気マニホールド３３に供給される吸気温度を低下させるように構成する。これにより、エンジン１００が高負荷で運転される際に吸気温度を十分に低下させることができるので、ノッキングが発生する前にノッキングが発生する要因（負荷の上昇に伴う過度な圧縮混合気の温度の上昇）を取り除くことができる。この結果、エンジン１００が高負荷で運転される際のノッキングの発生を未然に回避することができる。また、ノッキングの発生が抑制されるので、エンジン１００のエネルギ効率（混合気の爆発エネルギをエンジン動力に変換する効率）が向上される分、燃費（燃料消費率）を向上させることができる。
【００５０】
また、第１実施形態では、エンジン１００の始動時およびエンジン１００が低負荷で運転される際に、ボルテックスチューブ５２から吐出される暖気がスロットル弁３２の上流から導入されて吸気通路中の吸気に混合されることにより、吸気マニホールド３３に供給される吸気温度を上昇させるように構成する。これにより、冷間始動時および冷間始動直後の暖機運転時に吸気温度を十分に昇温させることができるので、スロットル弁３２の凍結を防止することができる。また、スロットル弁３２の凍結防止用の温水循環回路（エンジン冷却水回路）を設ける必要がないので、エンジンブロック１の構成を簡素化させることができる。また、適温まで昇温された吸気と燃料との混合を行うことができるので、燃料の霧化を促進することができる。また、エンジン１００が低負荷で運転される際に、昇温されることで相対的に密度が小さくなった吸気をシリンダ１ａに供給することができるので、同じ空気質量流量を得るためにスロットル弁３２を開き気味に制御することができる。これにより、スロットル弁３２における前後差圧が減少して、エンジン本体１０におけるポンピングロスを低減することができる。
【００５１】
また、第１実施形態では、ボルテックスチューブ５２から吐出される冷気または暖気のいずれかを、スロットル弁３２の上流で、かつ、スロットル弁３２を回動可能に保持するスロットルボディ３２ａの近傍から導入するように構成する。これにより、冷気を利用してスロットルボディ３２ａ自体の温度を低下させることができるので、スロットル弁３２がエンジン１００側の熱を受けて加熱されるのを容易に抑制することができる。したがって、吸気温度の調整（冷却）をより容易に行うことができる。また、暖気を利用してスロットルボディ３２ａ自体を昇温させることもできるので、スロットル弁３２が凍結するのを容易に防止することができる。
【００５２】
また、第１実施形態では、エンジン１００の運転状況に応じて電動エアポンプ５１の回転数を制御して圧縮空気を得るとともに、この圧縮空気がボルテックスチューブ５２に供給されてボルテックスチューブ５２から吐出される冷気または暖気のいずれかを、スロットル弁３２の上流に導入するように構成する。これにより、エンジン１００の運転状況に対して高い応答性を有して電動エアポンプ５１の回転数を制御することができるので、所望の温度および流量を有する冷気または暖気を迅速に得て吸気主流に混合させることができる。この結果、エンジン１００の負荷変動に対する高い動作応答性を有し、かつ、吸気温度を確実に調整することが可能な吸気装置５０を容易に得ることができる。
【００５３】
また、第１実施形態では、ボルテックスチューブ５２から吐出される冷気または暖気のいずれか一方をスロットル弁３２の上流から吸気通路に導入するとともに、冷気または暖気のいずれか他方を、エンジン１００外に排出するように構成する。これにより、吸気温度の調整に利用されない側の冷気または暖気を吸気系（吸気通路３０）に影響を与えることなく系外に排出することができるので、低負荷運転から高負荷運転に至るまでのエンジン１００の運転状態を良好に保ち続けることができる。
【００５４】
また、第１実施形態では、エンジン１００が低負荷運転から高負荷運転に切り替わる際に、ボルテックスチューブ５２から吐出される冷気をスロットル弁３２の上流から導入して吸気通路３０中の吸気に混合することにより、吸気マニホールド３３に供給される吸気温度を低下させるように構成する。これにより、エンジン１００の負荷が増加するタイミングに合わせて電動エアポンプ５１の起動とともに冷気が作られて吸気主流に混合することができるので、熱的な遅れを伴うことなく吸気温度を低下させることができる。したがって、ノッキングの発生よりも先に吸気温度が低下されるので、加速時に発生しやすいノッキングの発生を未然に抑制することができる。また、ノッキングの発生が抑制されるので、運転時（加速時）のドライバビリティ（運転のしやすさ）を向上させることができる。
【００５５】
また、第１実施形態では、エアクリーナ３１から分流された吸気を電動エアポンプ５１により圧縮するように構成する。これにより、塵や埃などが除去された吸気の一部を用いて圧縮空気を得ることができるので、ボルテックスチューブ５２から吐出される冷気または暖気の清浄度が保たれた状態で吸気主流への混合を行うことができる。したがって、清浄度が保たれた状態で適温になった吸気をエンジン本体１０に供給することができる。
【００５６】
また、第１実施形態では、エンジン１００の運転状況に応じて回転数が制御されるかまたは電力が供給されずに停止されるように電動エアポンプ５１を構成する。これにより、吸気への冷気または暖気の混合による吸気温度の調整が必要のない場合には、電動エアポンプ５１への電力供給を停止させることができるので、車両（自動車）におけるバッテリーの電力消費を抑制することができる。
【００５７】
［第２実施形態］
次に、図２、図５および図６を参照して、第２実施形態について説明する。この第２実施形態では、過給機２０付きのエンジン２００に本発明を適用した例について説明する。なお、図中において、上記第１実施形態と同様の構成には、同じ符号を付して図示する。
【００５８】
第２実施形態によるエンジン２００（内燃機関の一例）は、図５に示すように、排気タービン駆動式の過給機（ターボチャージャ）２０と、その下流側に配置されたインタクーラ３５とを備える。すなわち、過給機２０では、排気ガス流により回転されるタービンホイール２１と、タービンシャフト２３を介してタービンホイール２１に接続され吸気を圧縮するコンプレッサホイール２２とが、ハウジング２０ａ内に回転可能に収容されている。
【００５９】
そして、吸気通路２３０は、エアクリーナ３１と、コンプレッサホイール２２と、過給機２０により圧縮された吸入空気を冷却するインタクーラ３５と、スロットル弁３２と、吸気マニホールド３３とにより構成されている。また、排気通路２４０は、排気マニホールド４１とタービンホイール２１と触媒装置４２とマフラー４３とによって構成されている。過給機２０を有するエンジン２００では、同一排気量の無過給エンジンに比べてシリンダ１ａに多量の空気が供給されて充填効率が高められる分、エンジン出力が増加される。
【００６０】
ここで、第２実施形態では、吸気通路２３０に対して電動エアポンプ５１およびボルテックスチューブ５２が付加されて吸気装置２５０（内燃機関の吸気装置の一例）が構成されている。すなわち、ボルテックスチューブ５２から吐出される冷気または暖気のいずれかが、スロットル弁３２の上流でかつインタクーラ３５の下流の部分から吸気通路２３０に導入されるように構成されている。
【００６１】
したがって、エンジン２００においても、過給機２０が機能を発揮する車両の加速時や高負荷で運転を継続されている最中においては、図５に示すように、ボルテックスチューブ５２からの冷気をスロットル弁３２の上流から吸気通路２３０に導入して吸気温度を低下させることにより吸気温度の最適化が図られている。また、エンジン２００の始動直後（冷間始動時）や暖機運転中においては、図６に示すように、ボルテックスチューブ５２からの暖気をスロットル弁３２の上流から吸気通路２３０に導入して吸気温度を上昇させることにより吸気温度の最適化が図られている。
【００６２】
また、第２実施形態では、図５および図６に示すように、通気路６４における消音器５５の上流側に熱交換器９０が設けられている。そして、ボルテックスチューブ５２から吐出される冷気または暖気のいずれか一方が吸気通路２３０に導入されるとともに、冷気または暖気のいずれか他方は、熱交換器９０を介して熱交換されることにより車両内における他の熱源として利用可能に構成されている。
【００６３】
たとえば、冷気が吸気通路２３０に導入される場合（エンジン２００において吸気温度を低下させる運転条件にある場合）、不要な暖気の熱が熱交換器９０を介して車両内で温熱（昇温）を必要とする構成要素または熱媒体の熱源に利用されるように構成されている。また、暖気が吸気通路２３０に導入される場合（エンジン２００において吸気温度を昇温させる運転条件にある場合）、不要な冷気の熱が熱交換器９０を介して車両内で冷熱（冷却）を必要とする構成要素または熱媒体の熱源に利用されるように構成されている。なお、熱交換器９０は、車両の運転状況に応じて冷気または暖気と被利用側の熱媒体との熱交換を行わせる場合と行わなくさせる場合とがＥＣＵ８０（図２参照）の指令に基づいて切り替え可能に構成されている。したがって、熱交換器９０を機能させない場合には、不要な暖気または冷気は熱交換されることなく消音器５５を介して系外に排出される。なお、第２実施形態におけるその他の構成は上記第１実施形態と同様である。
【００６４】
（第２実施形態の効果）
第２実施形態では、以下のような効果を得ることができる。
【００６５】
第２実施形態では、上記のように、過給機２０付きのエンジン２００に対して吸気装置２５０を適用することによって、自然吸気式のエンジン１００に対して瞬間的に高出力が得られるエンジン２００においても、負荷変動に追従性よく（熱的な遅れを伴うことなく）吸気温度の調整を行うことができる。したがって、車両の加速時のノッキングの発生が抑制される分、運転時のドライバビリティを効果的に向上させることができる。
【００６６】
また、第２実施形態では、ボルテックスチューブ５２から吐出される冷気または暖気のいずれか一方をスロットル弁３２の上流から吸気通路２３０に導入するとともに、冷気または暖気のいずれか他方を、熱交換器９０を介して熱交換することにより車両内の他の熱源として利用可能に構成する。これにより、吸気温度の調整に利用されない排熱（冷気または暖気）を、熱交換器９０を介して回収して他の熱源として再利用することができるので、電動エアポンプ５１に投入された電力エネルギを回収することができる分、エンジン２００が搭載される車両全体としてのエネルギ効率を向上させることができる。なお、第２実施形態のその他の効果は、上記第１実施形態と同様である。
【００６７】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００６８】
たとえば、上記第１および第２実施形態では、吸気温度の調整に利用されない側の冷気または暖気（第２実施形態においては熱交換器９０を通過した後の空気）を消音器５５を介して外部（エンジンルームの下部領域など）に排出したが、本発明はこれに限られない。たとえば、図７に示す本発明の第１変形例のように、熱交換器９０を設ける一方で消音器５５を設けずに、吸気温度の調整に利用されない側の空気（冷気または暖気が熱交換器９０を通過した後の空気）を、エアクリーナ３１のフィルタ３１ａの直後のハウジング３１ｂに戻すように吸気装置１５０を構成してもよい。なお、図７では、利用されない暖気を熱交換してエアクリーナ３１に戻す例を示している。ハウジング３１ｂは、消音器の役割も果たすように内部流路が構成されているので、この部分に冷気または暖気を戻すのが好ましい。なお、この変形例の構成は、上記第２実施形態における過給機２０付きのエンジン２００（図５参照）おける吸気装置（吸気システム）にも適用可能である。
【００６９】
また、図８に示す本発明の第２変形例のような構成も適用可能である。具体的には、ＥＧＲガス（排気再循環ガス）を吸気マニホールド３３におけるサージタンク３３ａに戻すＥＧＲ通路９５が設けられたエンジン１８０（内燃機関の一例）に対して本発明を適用してもよい。この場合、ＥＧＲ通路９５には、ＥＧＲクーラ９６およびＥＧＲ制御弁９７が設けられている。そして、低負荷運転時に暖気を吸気通路３０に導入して吸気温度を上昇させる一方、吸気温度の調整に利用されない冷気をＥＧＲクーラ９６内に流通させてＥＧＲガスの温度を低下させるように吸気装置１９０（内燃機関の吸気装置の一例）を構成してもよい。低負荷運転時には、スロットル弁３２を開き気味に制御してポンピングロス（吸排気損失）を低減するが、ＥＧＲガスの導入先となるサージタンク３３ａの負圧（吸引圧）が小さくなるためＥＧＲガスが導入しにくくなる。また、この傾向は、大量ＥＧＲが要求される低燃費エンジンで顕著となる。そこで、ボルテックスチューブ５２から吐出される不要な冷気を利用してＥＧＲガスを冷却することによりガス密度を高めることができるので、低負荷運転時のＥＧＲガスの導入量（質量流量）を確保し、ＮＯｘ（窒素酸化物）の発生を抑え、低燃費性を実現することができる。
【００７０】
また、上記第１および第２実施形態では、吸気温度の調整に利用されない側の冷気または暖気を、消音器５５を介して外部に排出したが、本発明はこれに限られない。たとえば、消音器５５通過後の空気流の圧力（正圧）を利用して、エンジン本体１０（クランクケース３）の換気のための新気の導入に利用してもよい。
【００７１】
また、上記第１および第２実施形態では、電動エアポンプ５１を空気圧縮源として設けたが、本発明はこれに限られない。たとえば、エンジン１００（クランク軸５）の駆動力を機械式または電磁式のクラッチ機構のオン／オフ制御により取り出してエアポンプを駆動することにより、吸気を圧縮するように構成してもよい。
【００７２】
また、上記第１および第２実施形態では、構成上、ボルテックスチューブ５２を吸気マニホールド３３と別体として構成したが、本発明はこれに限られない。たとえば、電動エアポンプ５１およびボルテックスチューブ５２が一体化されたユニットが吸気マニホールド３３に一体的に組み込まれていてもよい。
【００７３】
また、上記第１および第２実施形態では、吸気温度の調整に利用されない側の冷気または暖気（第２実施形態においては熱交換器９０を通過した後の空気）を消音器５５を介して外部（エンジンルームの下部領域など）に排出したが、本発明はこれに限られない。たとえば、消音器５５を設けずに、吸気温度の調整に利用されない側の冷気または暖気を、触媒装置４２の下流でかつマフラー４３の上流の位置から排気通路４０に排出してもよい。
【００７４】
また、上記第１および第２実施形態では、三方弁５３および５４を設けてボルテックスチューブ５２から吐出される冷気および暖気の流通方向を選択的に切り替えたが、本発明はこれに限られない。たとえば、１回の切り替え動作でバルブ内に形成された２つの経路の外部への接続態様が第１の状態と第２の状態とに交互に切り替え可能な単一の切替弁（たとえば空調機に使用される四方弁やロータリー式の切替弁など）を用いて冷気および暖気の流路を構成してもよい。
【００７５】
また、上記第１および第２実施形態では、ガソリン機関からなる自動車用のエンジン１の吸気装置１００に本発明を適用したが、本発明はこれに限られない。すなわち、ディーゼルエンジンおよびガスエンジンなどの内燃機関に対して本発明を適用してもよい。また、設備機器の動力源として設置される内燃機関の吸気装置に本発明を適用してもよい。
【符号の説明】
【００７６】
２０  過給機
３０、２３０  吸気通路
３１  エアクリーナ
３２  スロットル弁（スロットルバルブ）
３２ａ  スロットルボディ
３３  吸気マニホールド（吸気装置本体）
３３ａ  サージタンク
３５  インタクーラ
４０  排気通路
５０、１５０、１９０、２５０  吸気装置（内燃機関の吸気装置）
５１  電動エアポンプ（空気圧縮源）
５２  ボルテックスチューブ
５３、５４  三方弁
６１、６２、６３、６４  通気路
８０  ＥＣＵ
９０  熱交換器
９５  ＥＧＲ通路
１００、１８０、２００  エンジン（内燃機関）
【図１】
2017089390.tif 000003
【図２】
2017089390.tif 000004
【図３】
2017089390.tif 000005
【図４】
2017089390.tif 000006
【図５】
2017089390.tif 000007
【図６】
2017089390.tif 000008
【図７】
2017089390.tif 000009
【図８】
2017089390.tif 000010